(57)【要約】【課題】フロントとリアのスピーカ群における出力バランスの関係を適切に保つ。【解決手段】指示部３０から入力された定位位置と音量配分の調整量の情報に基づいて、制御部４０は乗算係数を算出し、算出された乗算係数を音量調整部５０あるいは音量調整部６０に供給する。音量調整部５０では、チャンネル１のオーディオデータに供給された乗算係数を乗算してフロントスピーカ群の出力バランスを決定する。また、音量調整部６０では、チャンネル１のオーディオデータに供給された乗算係数を乗算してリアスピーカ群の出力バランスを決定する。この場合、指示部３０から共通の情報を制御部４０に与えることにより、フロントスピーカ群とリアスピーカ群の出力バランスを関連づけて決定することができる。【選択図】　図２
2004072564.tif 000002
【特許請求の範囲】
【請求項１】
フロントに設けられた第１のスピーカ群と、リアに設けられた第２のスピーカ群における各スピーカの音量バランスを調整する出力バランス調整装置であって、
第１の指示情報に基づいて、フロントに設けられた前記第１のスピーカ群における各スピーカの音量バランスを制御して音像の定位位置を制御すると共に、音像の定位位置を維持したまま、複数の前記各スピーカの音量配分を制御する第１の制御手段と、
第２の指示情報に基づいて、リアに設けられた前記第２のスピーカ群における各スピーカの音量バランスを制御して音像の定位位置を制御すると共に、音像の定位位置を維持したまま、複数の前記各スピーカの音量配分を制御する第２の制御手段とを備え、
前記第１の指示情報および前記第２の指示情報が、音像の定位位置および音量配分の調整量の情報とされており、前記第１の指示情報および前記第２の指示情報のいずれか１つの指示情報を共通して用いていることを特徴とする出力バランス調整装置。
【請求項２】
フロントに設けられた第１のスピーカ群と、リアに設けられた第２のスピーカ群における各スピーカの音量バランスを調整する出力バランス調整装置であって、
第１の指示情報に基づいて、フロントに設けられた前記第１のスピーカ群における各スピーカの音量バランスを制御して音像の定位位置を制御すると共に、音像の定位位置を維持したまま、複数の前記各スピーカの音量配分を制御する第１の制御手段と、
第２の指示情報に基づいて、リアに設けられた前記第２のスピーカ群における各スピーカの音量バランスを制御して音像の定位位置を制御すると共に、音像の定位位置を維持したまま、複数の前記各スピーカの音量配分を制御する第２の制御手段とを備え、
前記第１の指示情報および前記第２の指示情報が、音像の定位位置および音量配分の調整量の情報とされており、前記第１の指示情報および前記第２の指示情報を、独立した指示情報をそれぞれ用いるか、いずれか１つの指示情報を共通して用いるかを設定できるようにされていることを特徴とする出力バランス調整装置。
【請求項３】
フロントに設けられた第１のスピーカ群と、リアに設けられた第２のスピーカ群における各スピーカの音量バランスを調整する出力バランス調整プログラムであって、
第１の指示情報に基づいて、フロントに設けられた前記第１のスピーカ群における各スピーカの音量バランスを制御して音像の定位位置を制御すると共に、音像の定位位置を維持したまま、複数の前記各スピーカの音量配分を制御する第１の制御ステップと、
第２の指示情報に基づいて、リアに設けられた前記第２のスピーカ群における各スピーカの音量バランスを制御して音像の定位位置を制御すると共に、音像の定位位置を維持したまま、複数の前記各スピーカの音量配分を制御する第２のステップとを備え、
前記第１の指示情報および前記第２の指示情報が、音像の定位位置および音量配分の調整量の情報とされており、前記第１の指示情報および前記第２の指示情報のいずれか１つの指示情報を共通して用いていることを特徴とする出力バランス調整プログラム。
【請求項４】
フロントに設けられた第１のスピーカ群と、リアに設けられた第２のスピーカ群における各スピーカの音量バランスを調整する出力バランス調整プログラムであって、
それぞれ独立した指示情報、あるいは、共通の指示情報のいずれかを選択する選択ステップと、
第１の指示情報に基づいて、フロントに設けられた前記第１のスピーカ群における各スピーカの音量バランスを制御して音像の定位位置を制御すると共に、音像の定位位置を維持したまま、複数の前記各スピーカの音量配分を制御する第１の制御ステップと、
第２の指示情報に基づいて、リアに設けられた前記第２のスピーカ群における各スピーカの音量バランスを制御して音像の定位位置を制御すると共に、音像の定位位置を維持したまま、複数の前記各スピーカの音量配分を制御する第２の制御ステップと、
前記第１の指示情報および前記第２の指示情報が、音像の定位位置および音量配分の調整量の情報とされており、前記第１の指示情報および前記第２の指示情報を、独立した指示情報をそれぞれ用いるか、いずれか１つの指示情報を共通して用いるかを設定する設定ステップと、
を備えるようにしたことを特徴とする出力バランス調整プログラム。
【発明の詳細な説明】
【０００１】
【発明が属する技術分野】
本発明は、フロントとリアに設けられたスピーカ群における各スピーカの音量バランスを調整する出力バランス調整装置および出力バランス調整プログラムに関する。
【０００２】
【従来の技術】
従来、２スピーカシステムの中央での音像定位の不足感を補うために、左スピーカ（Ｌ）と右スピーカ（Ｒ）との中央にセンター（Ｃ）スピーカを配置して、中央に定位すべき音像は中央に定位させるようにした３スピーカシステムが知られている。このような３スピーカシステムにおいて、Ｃスピーカの音量をゼロとして、ＬスピーカとＲスピーカとの音量バランスを同じにすると、図４に示すように音像は中央に定位するようになる。また、３スピーカシステムにおいて、ＣスピーカとＬスピーカおよびＲスピーカの音量バランスを同じにしても、図５に示すように音像は中央に定位するようになる。さらに、３スピーカシステムにおいて、Ｃスピーカの音量を最大として、ＬスピーカおよびＲスピーカの音量をゼロにしても、図６に示すように音像は中央に定位するようになる。３つのスピーカの音量バランスを図６に示す音量配分として音像定位させると、ナレーションや歌の場合に好適となり、３つのスピーカの音量バランスを図４あるいは図５に示す音量配分として音像定位させると、楽器等において好適となる。
【０００３】
このように３つのスピーカに対する音量配分により、音の拡がり感や奥行き感といった音像の細やかな制御を行うことができるようになる。図４ないし図６に示す音量配分の形態は、ユーザが任意に設定することができ音量配分の形態を選択した際に、音像の定位位置に応じた音量バランスとなるように各スピーカの音量が自動的に決定されるようになされている。ところで、従来、図７に示すような６．１チャンネルのサラウンドモードが知られている。図７に示す６．１チャンネルモードは、前方に左スピーカＬと右スピーカＲ、およびその中央にセンタースピーカＣとを配置すると共に、後方に左後スピーカＬｓと右後スピーカＲｓ、およびその中央にリアセンタースピーカＣｓを配置し、さらにウーハ用スピーカＬＦＥを適所に配置して臨場感を得るようにしている。
【０００４】
【発明が解決しようとする課題】
しかしながら、フロントスピーカ群およびリアスピーカ群の音量バランスにおいては音量配分の指示情報および音像の定位位置の指示情報に応じて自動的に各スピーカの音量が決定されるが、フロントスピーカ群におけるＬスピーカ、ＲスピーカおよびＣスピーカの音量配分と、リアスピーカ群におけるＬｓスピーカ、ＲｓスピーカおよびＣｓスピーカの音量バランスの指示情報は独立して入力されている。このため、フロントスピーカ群とリアスピーカ群に対するそれぞれの指示情報を別々に入力するのに手間がかかるという問題点があった。特に、フロントスピーカ群とリアスピーカ群の音量バランスを考慮しながらフロントスピーカ群とリアスピーカ群に対するそれぞれの指示情報を別々に入力することが困難になるという問題点があった。
【０００５】
そこで、本発明は、フロントとリアのスピーカ群における出力バランスの関係を適切に保つことのできる出力バランス調整装置および出力バランス調整プログラムを提供することを目的としている。
【０００６】
【課題を解決するための手段】
上記目的を達成するために、本発明は、フロントに設けられた第１のスピーカ群とリアに設けられた第２のスピーカ群おける各スピーカの音量配分を、第１のスピーカ群および第２のスピーカ群に対するいずれかの指示情報を共通して用いることにより制御している。これにより、指示情報を容易に入力してフロントとリアのスピーカ群における出力バランスの関係を適切に保つことができるようになる。
【０００７】
【発明の実施の形態】
本発明の実施の形態の出力バランス調整装置を適用したミキサの構成例を図１に示す。
図１に示すミキサ１は、ミキサ１の全体の動作を制御すると共に、ミキシング用の操作子や他の操作子の操作に応じて制御信号を生成しているＣＰＵ（Ｃｅｎｔｒａｌ　Ｐｒｏｃｅｓｓｉｎｇ　Ｕｎｉｔ）１０と、ＣＰＵ１０が実行するミキシング制御プログラムや出力バランス調整プログラム等の動作ソフトウェアが格納されているＲＯＭ（Ｒｅａｄ　Ｏｎｌｙ　Ｍｅｍｏｒｙ）１２と、ＣＰＵ１０のワークエリアや各種データ等が記憶されるＲＡＭ（Ｒａｎｄｏｍ　Ａｃｃｅｓｓ　Ｍｅｍｏｒｙ）１１とを備えている。外部制御機器１４はパーソナルコンピュータ（ＰＣ）などで、操作子１５と同等の制御データを発生させることができる機器であり、通信Ｉ／Ｆ１３は、外部制御機器１４から受け取る制御データを検出回路１６、表示回路１８や信号処理回路１９に送るインタフェースである。検出回路１６は、操作子１５の操作に応じて発生する制御データを表示回路１８と信号処理回路１９に送っている。
【０００８】
表示回路１８は、検出回路１６や通信Ｉ／Ｆ１３から受け取る制御データに沿った内容を液晶表示器等からなる表示部１７に表示させている。信号処理回路１９は多数のＤＳＰを用いて構成されており、ＣＰＵ１０の制御の基で入出力Ｉ／Ｆ２１から受け取るオーディオデータを、検出回路１６から受け取る操作子１５の制御データに基づいてミキシングし、ミキシングした結果のオーディオデータを入出力Ｉ／Ｆ２１に送るミキシング処理、および、外部入出力機器２０の一つであるスピーカ群に出力するオーディオデータの音量バランスを制御する出力バランス調整処理を行っている。入出力Ｉ／Ｆ２１は、複数チャンネル（ＣＨ）分のオーディオデータを外部入出力機器２０から入力して信号処理回路１９に送ると共に、信号処理回路１９から出力されるミキシング処理や出力バランス調整処理が施されたオーディオデータを、外部入出力機器２０におけるフロントスピーカ群やリアスピーカ群に送るインタフェースである。
【０００９】
次に、本発明の実施の形態にかかる出力バランス調整装置の構成例を図２に示す。この出力バランス調整装置は、信号処理回路１９にハードウェアとして内蔵するようにしてもよいが、信号処理回路１９におけるＤＳＰがマイクロプログラムを実行することにより実現するようにしてもよい。
図２に示す出力バランス調整装置では、チャンネル１（ＣＨ１）、チャンネル２（ＣＨ２）およびチャンネル３（ＣＨ３）のオーディオデータが入力され、これらの３チャンネルの出力に対する出力バランス調整処理を行っている。なお、入力されるＣＨ１〜ＣＨ３のオーディオデータはミキシング処理されたオーディオデータとすることができる。それぞれのチャンネルにおける指示部３０，３１，３２は、操作子１５における音像定位位置を設定する操作子および音量配分の調整量を設定する操作子に相当しており、指示部３０，３１，３２からは音像定位位置と音量配分の調整量の情報が入力されている。この音量配分の調整量に応じて、前記した図４から図６の間の音量配分を得ることができる。すなわち、音量配分の調整量に応じて、音の拡がり感や奥行き感といった音像の細やかな制御を行うことができるようになる。この場合、音量配分の調整量はフロントスピーカ群に対応するものと、リアスピーカ群に対応するものとを独立して入力できるようにされているが、一つの音量配分の調整量を共通して使用するようにしてもよい。
【００１０】
また、それぞれのチャンネルにおける制御部４０，４１，４２はＣＰＵ１０に相当しており、入力された音像定位位置と音量配分の調整量の情報から、各チャンネルにおけるフロントスピーカ群におけるＬスピーカ、Ｒスピーカ、Ｃスピーカ、リアスピーカ群におけるＬｓスピーカ、Ｒｓスピーカ、Ｃｓスピーカの音量バランスおよび音量配分を算出してフロントスピーカ群用の音量調整部５０，５１，５２やリアスピーカ群用の音量調整部６０，６１，６２に、算出された乗算係数を供給している。ＣＨ１におけるフロントスピーカ群用の音量調整部５０には、それぞれＬスピーカ、Ｒスピーカ、Ｃスピーカ用の３つの乗算器が内蔵されており、それぞれの乗算器に制御部４０から供給された乗算係数ｋ１ａ、ｋ１ｂ、ｋ１ｃがＣＨ１のオーディオデータにそれぞれ乗算されて音量調整され、対応するＬスピーカ、Ｃスピーカ、Ｒスピーカの出力バスＬ，Ｃ，Ｒに出力されている。
【００１１】
また、ＣＨ２におけるフロントスピーカ群用の音量調整部５１も同様であり、音量調整部５１の３つの乗算器に制御部４１から供給された乗算係数ｋ３ａ、ｋ３ｂ、ｋ３ｃがＣＨ２のオーディオデータにそれぞれ乗算されて音量調整され、対応するＬスピーカ、Ｃスピーカ、Ｒスピーカの出力バスＬ，Ｃ，Ｒに出力されている。さらに、ＣＨ３におけるフロントスピーカ群用の音量調整部５２も同様であり、音量調整部５２の３つの乗算器に制御部４２から供給された乗算係数ｋ５ａ、ｋ５ｂ、ｋ５ｃがＣＨ３のオーディオデータにそれぞれ乗算されて音量調整され、対応するＬスピーカ、Ｃスピーカ、Ｒスピーカの出力バスＬ，Ｃ，Ｒに出力されている。
【００１２】
さらにまた、ＣＨ１におけるリアスピーカ群用の音量調整部６０には、それぞれＬｓスピーカ、Ｃｓスピーカ、Ｒｓスピーカ用の３つの乗算器が内蔵されており、それぞれの乗算器に制御部４０から供給された乗算係数ｋ２ａ、ｋ２ｂ、ｋ２ｃがＣＨ１のオーディオデータにそれぞれ乗算されて音量調整され、対応するＬｓスピーカ、Ｃｓスピーカ、Ｒｓスピーカの出力バスＬｓ，Ｃｓ，Ｒｓに出力される。この場合、制御部４０にフロントスピーカ群とリアスピーカ群における音量配分の調整量の情報が独立に入力されている場合は、それぞれの調整量の情報に基づいて算出された乗算係数が、音量調整部５０および音量調整部６０にそれぞれ供給される。また、制御部４０にフロントスピーカ群とリアスピーカ群における音量配分の調整量の情報のいずれかを共通の情報として使用する設定がされている場合は、共通の調整量の情報に基づいて算出された乗算係数が、音量調整部５０および音量調整部６０にそれぞれ供給される。この場合の乗算係数ｋ１ａとｋ２ａ，乗算係数ｋ１ｂとｋ２ｂ、乗算係数ｋ１ｃとｋ２ｃとはそれぞれ同じ値となる。このように共通の情報とすることにより、制御部４０に供給する指示情報を容易に入力することができ、フロントスピーカ群とリアスピーカ群における出力バランスの関係を適切に保つことができるようになる。
【００１３】
また、ＣＨ２におけるリアスピーカ群用の音量調整部６１も同様であり、音量調整部６１の３つの乗算器に制御部４１から供給された乗算係数ｋ４ａ、ｋ４ｂ、ｋ４ｃがＣＨ２のオーディオデータにそれぞれ乗算されて音量調整され、対応するＬｓスピーカ、Ｃｓスピーカ、Ｒｓスピーカの出力バスＬｓ，Ｃｓ，Ｒｓに出力される。さらに、ＣＨ３におけるリアスピーカ群用の音量調整部６２も同様であり、音量調整部６２の３つの乗算器に制御部４２から供給された乗算係数ｋ６ａ、ｋ６ｂ、ｋ６ｃがＣＨ３のオーディオデータにそれぞれ乗算されて音量調整され、対応するＬｓスピーカ、Ｃｓスピーカ、Ｒｓスピーカの出力バスＬｓ，Ｃｓ，Ｒｓに出力される。これらの場合において、音量配分の調整量の情報のいずれかを共通の情報として使用する設定がされている場合は、制御部４１あるいは制御部４２に供給する指示情報を容易に入力することができ、フロントスピーカ群とリアスピーカ群における出力バランスの関係を適切に保つことができるようになる。なお、その場合は音量調整部５１あるいは音量調整部５２に供給される乗算係数と、音量調整部６１あるいは音量調整部６２に供給される乗算係数は同様となる。
【００１４】
上記説明したように、本発明の出力バランス調整装置では、各チャンネルのオーディオデータが、チャンネルごとに設定されている出力バランスに従ってその出力レベルを調整された後に各チャンネルのオーディオデータがミキシングされて、フロントスピーカ群とリアスピーカ群に送られるようになされている。この場合の出力バランスは、指示部３０，３１，３２から入力された音像定位位置と音量配分の調整量とに基づいて出力バランスが算出され、その出力バランスに応じてそれぞれのスピーカへの出力レベルの乗算係数（調節値）が決定される。そして、音量調整部５０（６０），５１（６１），５２（６２）に乗算係数が供給されて入力されたオーディオデータの出力レベルが各スピーカごとに調整されるようになる。なお、制御部４０，４１，４２においては、特開平１０−２９０５００号公報に開示されている数５を用いて演算することにより、乗算係数を算出することができる。なお、数５におけるパラメータｒは音量配分の調整量に相当し、パラメータｘは音像の定位位置に相当している。
【００１５】
なお、図２に示す本発明の出力バランス調整装置において、チャンネル間で音量配分の調整量を関連を持たせながら変更することもできる。この場合、関連を持たせる複数のチャンネルとその関連の内容を設定しておき、その複数のチャンネルのいずれかで調整量が変更されたら、その変更内容と関連の内容から、他のチャンネルでの調整量を決定するようにしてもよい。関連の内容や決定の方法は、後述する１チャンネル内のフロントスピーカ群とリアスピーカ群の関係と同様にして決定することができる。
【００１６】
次に、本発明にかかる出力バランス調整装置で実行される出力バランス調整処理のフローチャートを図３に示す。
図１に示すミキサ１の電源が投入されると、図３に示すフローチャートが開始され、ステップＳ１０にて操作子１５を操作することにより新たな音像の定位位置が設定されたか否かが判断される。ここで、指示部３０，３１，３２から新たな音像の定位位置の情報が入力されていない場合は、ＮＯと判断されてステップＳ１２に進み、指示部３０，３１，３２から新たな音像の定位位置の情報が入力された場合は、ＹＥＳと判断されてステップＳ１１に分岐する。ステップＳ１１では、入力された新たな音像の定位位置の情報をチャンネル別に用意されている定位バッファに格納し、格納したらステップＳ１２に進む。ステップＳ１２では、操作子１５が操作されて複数チャンネルの内のいずれかのチャンネルのフロントスピーカ群あるいはリアスピーカ群に対する音量配分の調整量が更新されたか否かが判断される。ここで、指示部３０，３１，３２から更新された音量配分の調整量の情報が入力されていると判断された場合は、ステップＳ１３に分岐して、更新にかかるチャンネルは自動調整がオフされているか否かが判断される。自動調整がオンされている場合とは、フロントスピーカ群あるいはリアスピーカ群に対する音量配分の調整量のいずれか一つが両スピーカ群に対して共通して使用されるよう設定されている場合である。ここで、自動調整がオンされていると判断された場合は、ステップＳ１４に進み更新後の音量配分の調整量からフロントスピーカ群の音量配分の調整量およびリアスピーカ群の音量配分の調整量を、設定されている後述する決定方法に従って決定する。次いで、ステップＳ１５にて定位位置情報が格納されている定位バッファから音像の定位位置情報を読み出す。そして、ステップＳ１６にてフロントスピーカ群の音量配分の調整量あるいはリアスピーカ群の音量配分の調整量と、ステップＳ１５において読み出された定位位置情報とに従って、フロントスピーカ群あるいはリアスピーカ群の出力バランスを制御する。具体的には、フロントスピーカ群あるいはリアスピーカ群における各スピーカに対応する乗算係数を算出してオーディオデータに乗算することにより、出力バランスを制御する。
【００１７】
また、ステップＳ１３にて自動調整がオンされていないと判断された場合は、ステップＳ１７に分岐して定位バッファから音像の定位位置情報を読み出す。そして、ステップＳ１８にて更新された音量配分の調整量と、ステップＳ１５において読み出された定位位置情報とに従って、音量配分の調整量が更新されたフロントスピーカ群あるいはリアスピーカ群の出力バランスを制御する。具体的には、音量配分の調整量が更新されたフロントスピーカ群あるいはリアスピーカ群における各スピーカに対応する乗算係数を算出してオーディオデータに乗算することにより、出力バランスを制御する。ステップＳ１６あるいはステップＳ１８の処理が終了すると、ステップＳ１２にていずれの音量配分の調整量も更新されていないと判断された場合と同様にステップＳ１９に進む。ステップＳ１９では、操作子１５が操作されて自動調整のオン／オフの更新が指示されたか否かが判断される。ここで、自動調整のオン／オフの更新が指示されたと判断された場合は、ステップＳ２０に進んで更新後の自動調整の内容を更新されたチャンネル別に用意された該当するバッファに格納し、ステップＳ１９にて自動調整のオン／オフの更新が指示されていないと判断された場合と同様にステップＳ２１に進む。
【００１８】
ステップＳ２１では、操作子１５が操作されてステップＳ１４にて用いられる出力バランスの決定方法が変更されたか否かが判断される。ここで、出力バランスの決定方法が変更されたと判断された場合は、ステップＳ２２に進んで変更後の出力バランスの決定方法の内容をチャンネル別に用意されているバッファのうちの変更されたチャンネルのバッファに格納する。ところで、出力バランスの決定方法には、次にあげるように複数種類ある。第１の決定方法は、フロントスピーカ群あるいはリアスピーカ群に対する音量配分の調整量が変更された際に、他方のスピーカ群に対する音量配分の調整量も更新された調整量にする決定方法である。第２の方法は、フロントスピーカ群あるいはリアスピーカ群に対する一方の音量配分の調整量から他方の音量配分の調整量を算出する計算式を用意し、更新された調整量とその計算式から他方の調整量を算出する決定方法である。第３の決定方法は、フロントスピーカ群およびリアスピーカ群に対する２つの音量配分の調整量の数値的な対応関係を表わす表を用意し、更新された調整量とその表から他方の調整量を決定する決定方法である。第４の決定方法は、フロントスピーカ群およびリアスピーカ群に対する更新前の２つの音量配分の調整量の差をもとめ、新たな２つの音量配分の調整量においてもその差が保持されるように、更新された音量配分の調整量と求められた差から他方の音量配分の調整量を決定する決定方法である。これらの決定方法のいずれかにより、ステップＳ１４において更新後の音量配分の調整量からフロントスピーカ群の音量配分の調整量あるいはリアスピーカ群の音量配分の調整量が関連づけて決定されるようになる。
【００１９】
ステップＳ２２の処理が終了すると、ステップＳ２１にて出力バランスの決定方法の変更が指示されていないと判断された場合と同様にステップＳ２３に進む。ステップＳ２３では、その他の操作に関する処理が行われる。具体的には、チャンネルごとに入力されるオーディオデータを設定する処理や、その他ミキサーに関連した各種の処理が行われる。ついで、ステップＳ２４にてミキサ１の電源がオフ等されて停止の指示がされたか否かが判断される。ここで、電源がオフ等されて停止の指示がされたと判断された場合は、出力バランス調整処理は終了する。また、停止の指示がされていないと判断された場合は、ステップＳ１０に戻り上述したステップＳ１０ないしステップＳ２４の処理がミキサ１の停止が指示されるまで繰り返し行われる。
【００２０】
【発明の効果】
本発明は以上のように構成されているので、フロントに設けられた第１のスピーカ群とリアに設けられた第２のスピーカ群おける各スピーカの音量配分を、第１のスピーカ群および第２のスピーカ群に対するいずれかの指示情報を共通して用いることにより制御している。これにより、指示情報を容易に入力してフロントとリアのスピーカ群における出力バランスの関係を適切に保つことができるようになる。
【図面の簡単な説明】
【図１】本発明の実施の形態の出力バランス調整装置を適用したミキサの構成例を示すブロック図である。
【図２】本発明の実施の形態にかかる出力バランス調整装置の構成例を示す図である。
【図３】本発明にかかる出力バランス調整装置で実行される出力バランス調整処理のフローチャートである。
【図４】３スピーカシステムにおいて音像を定位した際の音量配分の一形態を示す図である。
【図５】３スピーカシステムにおいて音像を定位した際の音量配分の他の形態を示す図である。
【図６】３スピーカシステムにおいて音像を定位した際の音量配分のさらに他の形態を示す図である。
【図７】６．１サラウンドモードの構成を示す図である。
【符号の説明】
１　ミキサ、１０　ＣＰＵ、１１　ＲＡＭ、１２　ＲＯＭ、１３　通信Ｉ／Ｆ、１４　外部制御機器、１５　操作子、１６　検出回路、１７　表示部、１８　表示回路、１９　信号処理回路、２０　外部入出力機器、２１　入出力Ｉ／Ｆ、３０，３１，３２　指示部、４０，４１，４２　制御部、５０，５１，５２　音量調整部、６０，６１，６２　音量調整部
【図１】
2004072564.tif 000003
【図２】
2004072564.tif 000004
【図３】
2004072564.tif 000005
【図４】
2004072564.tif 000006
【図５】
2004072564.tif 000007
【図６】
2004072564.tif 000008
【図７】
2004072564.tif 000009